(57)【要約】【課題】本発明は、極めて商品価値の高い画期的なレンチを提供することを目的とする。【解決手段】ボルトを回動させるレンチであって、握柄体１の両端部に、両端部がボルトと連設される連設部２に設定された連設体３，４が当該握柄体１の長さ方向と直交する方向に設けられ、更に、連設体３，４は互いにねじれの位置関係にあり、更に、４つの連設部２の径のうち少なくとも２つは異なる径に設定されたものである。【選択図】        図１
2005074524.tif 000002
【特許請求の範囲】
【請求項１】
ボルトを回動させるレンチであって、握柄体の両端部に、両端部がボルトと連設される連設部に設定された連設体が当該握柄体の長さ方向と直交する方向に設けられ、更に、連設体は互いにねじれの位置関係にあり、更に、４つの連設部の径のうち少なくとも２つは異なる径に設定されていることを特徴とするレンチ。
【請求項２】
角穴付きボルトを回動させるレンチであって、握柄体の両端部に、両端部が角穴付きボルトの角穴に嵌合される断面多角形の嵌入部に設定された嵌入体が当該握柄体の長さ方向と直交する方向に設けられ、更に、嵌入体は互いにねじれの位置関係にあり、更に、４つの嵌入部の径のうち少なくとも２つは異なる径に設定されていることを特徴とするレンチ。
【請求項３】
請求項２記載のレンチにおいて、前記４つの嵌入部の径は全て異なる径に設定されていることを特徴とするレンチ。
【請求項４】
請求項１，２いずれか１項に記載のレンチにおいて、前記嵌入体は握柄体に形成した貫通孔内にスライド自在に設けられており、該嵌入体の握柄体からの突出量を可変し得るように構成されていることを特徴とするレンチ。
【請求項５】
請求項２〜４いずれか１項に記載のレンチにおいて、前記４つの嵌入部のうち少なくとも１つの嵌入部は、嵌入体に着脱自在に設けられ、少なくとも一端に角穴付きボルトの角穴に嵌合される断面多角形の嵌入部を形成した補助嵌入体の端部であることを特徴とするレンチ。
【請求項６】
請求項２〜５いずれか１項に記載のレンチにおいて、前記嵌入部の近傍位置には該嵌入部の径を示す表示が設けられ、この表示は嵌入体夫々の所定位置を押圧して形成される刻印表示であり、この所定位置の押圧により生ずる変形部が、嵌入体が貫通孔から抜けることを防止する抜け止め部に構成されていることを特徴とするレンチ。
【請求項７】
ボルトを回動させるレンチであって、握柄体の両端部に、両端部がボルトと連設される連設部に設定された連設体が当該握柄体の長さ方向と直交する方向に設けられ、更に、４つの連設部の径は全て異なる径に設定されていることを特徴とするレンチ。
【請求項８】
角穴付きボルトを回動させるレンチであって、握柄体の両端部に、両端部が角穴付きボルトの角穴に嵌合される断面多角形の嵌入部に設定された嵌入体が当該握柄体の長さ方向と直交する方向に設けられ、更に、４つの嵌入部の径は全て異なる径に設定されていることを特徴とするレンチ。
【請求項９】
請求項６記載のレンチにおいて、前記嵌入体は握柄体に形成した貫通孔内にスライド自在に設けられており、該嵌入体の握柄体からの突出量を可変し得るように構成されていることを特徴とするレンチ。
【請求項１０】
請求項８，９いずれか１項に記載のレンチにおいて、前記４つの嵌入部のうち少なくとも１つの嵌入部は、嵌入体に着脱自在に設けられ、少なくとも一端に角穴付きボルトの角穴に嵌合される断面多角形の嵌入部を形成した補助嵌入体の端部であることを特徴とするレンチ。
【請求項１１】
請求項８〜１０いずれか１項に記載のレンチにおいて、前記嵌入部の近傍位置には該嵌入部の径を示す表示が設けられ、この表示は嵌入体夫々の所定位置を押圧して形成される刻印表示であり、この所定位置の押圧により生ずる変形部が、嵌入体が貫通孔から抜けることを防止する抜け止め部に構成されていることを特徴とするレンチ。
【発明の詳細な説明】
【０００１】
【発明の属する技術分野】
本発明は、レンチに関するものである。
【０００２】
【従来の技術及び発明が解決しようとする課題】
従来から、六角穴付きボルトを回動せしめるレンチであって、断面六角形の棒材の端部寄りを直角状に折曲形成し、この折曲部分の先端と棒材の基端とにボルトの六角穴に嵌入される嵌入部を設けたＬ字状の六角棒体レンチが提案されている。
【０００３】
ところが、この従来から提案される六角棒体レンチは、種々の径の六角穴付きボルトに対応すべく、径の異なる複数本を一つのホルダーにまとめた状態として所持しなければならず、このホルダーからの出し入れが厄介であるなどの問題点がある。
【０００４】
本発明は、このレンチについて更なる研究開発を進め、その結果、極めて商品価値の高い画期的なレンチを開発した。
【０００５】
【課題を解決するための手段】
添付図面を参照して本発明の要旨を説明する。
【０００６】
ボルトを回動させるレンチであって、握柄体１の両端部に、両端部がボルトと連設される連設部２に設定された連設体３，４が当該握柄体１の長さ方向と直交する方向に設けられ、更に、連設体３，４は互いにねじれの位置関係にあり、更に、４つの連設部２の径のうち少なくとも２つは異なる径に設定されていることを特徴とするレンチに係るものである。
【０００７】
また、角穴付きボルトを回動させるレンチであって、握柄体１の両端部に、両端部が角穴付きボルトの角穴に嵌合される断面多角形の嵌入部２に設定された嵌入体３，４が当該握柄体１の長さ方向と直交する方向に設けられ、更に、嵌入体３，４は互いにねじれの位置関係にあり、更に、４つの嵌入部２の径のうち少なくとも２つは異なる径に設定されていることを特徴とするレンチに係るものである。
【０００８】
また、請求項２記載のレンチにおいて、前記４つの嵌入部２の径は全て異なる径に設定されていることを特徴とするレンチに係るものである。
【０００９】
また、請求項１，２いずれか１項に記載のレンチにおいて、前記嵌入体３，４は握柄体１に形成した貫通孔１ａ内にスライド自在に設けられており、該嵌入体３，４の握柄体１からの突出量を可変し得るように構成されていることを特徴とするレンチに係るものである。
【００１０】
また、請求項２〜４いずれか１項に記載のレンチにおいて、前記４つの嵌入部２のうち少なくとも１つの嵌入部２は、嵌入体４に着脱自在に設けられ、少なくとも一端に角穴付きボルトの角穴に嵌合される断面多角形の嵌入部６’を形成した補助嵌入体６の端部であることを特徴とするレンチに係るものである。
【００１１】
また、請求項２〜５いずれか１項に記載のレンチにおいて、前記嵌入部２の近傍位置には該嵌入部２の径を示す表示５が設けられ、この表示５は嵌入体３，４夫々の所定位置を押圧して形成される刻印表示であり、この所定位置の押圧により生ずる変形部が、嵌入体３，４が貫通孔１ａから抜けることを防止する抜け止め部に構成されていることを特徴とするレンチに係るものである。
【００１２】
また、ボルトを回動させるレンチであって、握柄体１の両端部に、両端部がボルトと連設される連設部２に設定された連設体３，４が当該握柄体１の長さ方向と直交する方向に設けられ、更に、４つの連設部２の径は全て異なる径に設定されていることを特徴とするレンチに係るものである。
【００１３】
また、角穴付きボルトを回動させるレンチであって、握柄体１の両端部に、両端部が角穴付きボルトの角穴に嵌合される断面多角形の嵌入部２に設定された嵌入体３，４が当該握柄体１の長さ方向と直交する方向に設けられ、更に、４つの嵌入部２の径は全て異なる径に設定されていることを特徴とするレンチに係るものである。
【００１４】
また、請求項６記載のレンチにおいて、前記嵌入体３，４は握柄体１に形成した貫通孔１ａ内にスライド自在に設けられており、該嵌入体３，４の握柄体１からの突出量を可変し得るように構成されていることを特徴とするレンチに係るものである。
【００１５】
また、請求項８，９いずれか１項に記載のレンチにおいて、前記４つの嵌入部２のうち少なくとも１つの嵌入部２は、嵌入体４に着脱自在に設けられ、少なくとも一端に角穴付きボルトの角穴に嵌合される断面多角形の嵌入部６’を形成した補助嵌入体６の端部であることを特徴とするレンチに係るものである。
【００１６】
また、請求項８〜１０いずれか１項に記載のレンチにおいて、前記嵌入部２の近傍位置には該嵌入部２の径を示す表示５が設けられ、この表示５は嵌入体３，４夫々の所定位置を押圧して形成される刻印表示であり、この所定位置の押圧により生ずる変形部が、嵌入体３，４が貫通孔１ａから抜けることを防止する抜け止め部に構成されていることを特徴とするレンチに係るものである。
【００１７】
【発明の作用及び効果】
請求項１記載の発明は、握柄体１の両端部に、両端部がボルトやナットと連設される連設部２に設定された連設体３，４が当該握柄体１の長さ方向と直交する方向に設けられ、更に、４つの連設部２の径のうち少なくとも２つは異なる径に設定されている。
【００１８】
従って、一本で径の異なる多くのボルトやナットを回動させることができることになり、従来から提案されるレンチのようにホルダーに対する厄介な出し入れ作業が不要となるなど、握柄体１を持ち替えるだけで種々の径のボルトやナットに対応することができて極めて作業性に秀れることになり、しかも、握柄体１と連設部２とを別パーツとすることで、例えば握柄体１を肉薄にしたり連設部２と別素材で形成することで軽量化したり、コスト安にすることができ、また、連設部２にも種々の加工ができるなど従来できなかった工夫を握柄体１及び連設部２に施すことができることになる。
【００１９】
また、本発明は、連設体３，４を互いにねじれの位置関係にしたから、例えば握持体１を握持して一方の連設体３に設けられる連設部２を使用する際、他の連設体４が作業面に対して水平状態となるから、この他の連設体４が作業面に当たってしまうなどの邪魔になることはなく作業が良好に行えることになる。
【００２０】
請求項２記載の発明は、握柄体１の両端部に、両端部が角穴付きボルトの角穴に嵌合される断面多角形の嵌入部２に設定された嵌入体３，４が当該握柄体１の長さ方向と直交する方向に設けられ、更に、４つの嵌入部２の径のうち少なくとも２つは異なる径に設定されている。
【００２１】
従って、一本で径の異なる多くのボルトを回動させることができることになり、従来から提案されるレンチのようにホルダーに対する厄介な出し入れ作業が不要となるなど、握柄体１を持ち替えるだけで種々の径のボルトに対応することができて極めて作業性に秀れることになり、しかも、握柄体１と嵌入部２とを別パーツとすることで、例えば握柄体１を肉薄にしたり嵌入部２と別素材で形成することで軽量化したり、コスト安にすることができ、また、嵌入部２にも種々の加工ができるなど従来できなかった工夫を握柄体１及び嵌入部２に施すことができることになる。
【００２２】
また、本発明は、嵌入体３，４を互いにねじれの位置関係にしたから、例えば握持体１を握持して一方の嵌入体３に設けられる嵌入部２を使用する際、他の嵌入体４が作業面に対して水平状態となるから、この他の嵌入体４が作業面に当たってしまうなどの邪魔になることはなく作業が良好に行えることになる。
【００２３】
以上のように、本発明は、従来にない画期的な作用効果を発揮し、極めて商品価値の高いものになる。
【００２４】
【発明の実施の形態】
図面は本発明を角穴付きボルト（六角穴付きボルト）を回動させるレンチに実施した場合であり、以下に説明する。尚、本発明は、ボルトやナットを回動させるソケットレンチにも実施することが可能である。
【００２５】
本実施例は、角穴付きボルトを回動させるレンチであって、握柄体１の両端部に、両端部が角穴付きボルトの角穴に嵌合される断面多角形の嵌入部２に設定された嵌入体３，４が当該握柄体１の長さ方向と直交する方向に設けられたものである。
【００２６】
具体的には、握柄体１は、図１に図示したように適宜な金属製の部材を棒状に形成したものであり、その左右両端部には、互いにねじれの位置関係となる方向に表裏面を有する平坦部１ｂが形成され、この平板部１ｂには径の異なる貫通孔１ａが形成されており、この貫通孔１ａに後述する嵌入体３，４を配設した際、嵌入体３，４は互いにねじれの位置関係となるように構成されている。
【００２７】
これは、握持体１を握持して一方の嵌入体３に設けられる嵌入部２を使用する際、他の嵌入体４が邪魔になることなく作業が良好に行えることに貢献する。
【００２８】
即ち、仮に握柄体１の両端部に設けられる嵌入体３，４がねじれの位置関係でなく平行となる関係であった場合、例えば握持体１を握持して一方の嵌入体３に設けられる嵌入部２を使用すると、他の嵌入体４が作業面に当たって邪魔となり作業に支障を来たすことになってしまう場合があるが、この点、本実施例は、前述したように嵌入体３，４は互いにねじれの位置関係となるように構成されているから、このような問題は確実に解消されることになる。要は、嵌入体３，４がこの問題が生じることを防止する位置関係であれば良く、本願明細書で言うねじれの位置関係とは、厳密な意味でのねじれの位置関係に限定されるものではない。
【００２９】
また、握柄体１の両端部に形成された径の異なる左右の貫通孔１ａには、夫々六角形状にして径の異なる六角棒形状の嵌入体（８ｍｍ径の嵌入体３及び１０ｍｍ径の嵌入体４）が貫通状態にしてスライド自在に連結されており、この貫通孔１ａに嵌入体３，４を嵌挿させた際、該嵌入体３，４夫々の両端部が握柄体１の表裏両面に突出状態となり、角穴付きボルトの該角穴に嵌合し得る嵌入部２として構成されている。尚、図示していないが、嵌入体３，４夫々の中央位置には貫通孔１ａ内に設けた凹部に係止する係止凸部が設けられており、嵌入体３，４の端部を叩くなどのある程度の衝撃を与えない限りスライド移動しないように構成されている。
【００３０】
また、嵌入体３，４は、夫々その一端部が径小の嵌入部２に形成されており、よって、全ての嵌入部２同志が異なる径となるように構成されている。
【００３１】
具体的には、図１，２に図示したように握柄体１の一端部に配設される８ｍｍ径の嵌入体３の一端部は６ｍｍ径の嵌入部２に形成され、握柄体１の他端部に配設される１０ｍｍ径の嵌入体４の一端部はその端面に六角形状の凹部４ａが形成され、この凹部４ａに５ｍｍ径の補助嵌入体６が着脱自在に嵌設されており、この５ｍｍ径の補助嵌入体６の一端部は４ｍｍ径の嵌入部６’に形成されている。符号７は凹部４ａ内に一部が突出して該凹部４ａから補助嵌入体６を抜けにくくする為の球体、８は球体７を保持する板バネである。
【００３２】
従って、本実施例は、１０ｍｍ，８ｍｍ，６ｍｍ，５ｍｍ，４ｍｍの５種類の径の嵌入部２を具備している。
【００３３】
また、嵌入体３，４は、夫々その嵌入部２の近傍位置には該嵌入部２における前述した径（１０ｍｍ，８ｍｍ，６ｍｍ，５ｍｍ，４ｍｍ）を表示する表示５（数字の１０，８，６，５，４）が設けられ、この表示５は嵌入体３，４夫々の所定位置を押圧して形成される刻印表示であり、この所定位置の押圧により生ずる変形部が、嵌入体３，４が貫通孔１ａから抜けることを防止する抜け止め部にとして機能するように構成されている。
【００３４】
本実施例は上述のように構成したから、一本で径の異なる５種類のボルトを回動させることができることになり、従来から提案されるレンチのようにホルダーに対する厄介な出し入れ作業が不要となるなど、握柄体１を持ち替えるだけで種々の径のボルトに対応することができて極めて作業性に秀れることになり、しかも、握柄体１と嵌入部２とを別パーツとすることで、例えば握柄体１を肉薄にしたり嵌入部２と別素材で形成することで軽量化したり、握柄体１はある程度の強度を有する素材であれば安価な素材とすることができるからレンチ全体をコスト安にすることができ（嵌入体３，４だけは強度が要求される故に従来のレンチと同様の硬質素材を採用する。）、また、嵌入部２にも種々の加工ができるなど従来できなかった工夫を握柄体１及び嵌入部２に施すことができることになり、更に、例えば握柄体１から嵌入体３，４を着脱自在とすれば消耗や破損した場合に取り替えることもできる。
【００３５】
また、本実施例は、嵌入体３，４を互いにねじれの位置関係にしたから、例えば握持体１を握持して一方の嵌入体３に設けられる嵌入部２を使用する際、他の嵌入体４が作業面に対して水平状態となるから、この他の嵌入体４が作業面に当たってしまうなどの邪魔になることはなく作業が良好に行えることになる。
【００３６】
また、本実施例は、嵌入体３，４は貫通孔１ａ内をスライド自在に設けられており、握柄体１からの突出量を可変し得るように構成されているから、作業環境に対応して確実に良好な作業が行えることになる。
【００３７】
また、本実施例は、嵌入体３，４は、夫々その嵌入部２の近傍位置には該嵌入部２の径を示す表示部５が設けられ、この表示部５は嵌入体３，４夫々の所定位置を押圧して形成される刻印表示部であり、この所定位置の押圧により生ずる変形部が、嵌入体３，４が貫通孔１ａから抜けることを防止する抜け止め部にとして機能するように構成されているから、この表示部５を見ることで使いたい寸法の嵌入部２を迅速に選択することができ、しかも、この表示部５を形成する工程がそのまま嵌入体３，４の抜け止め機能として発揮させることができ、極めて製造効率が良い故に量産性に秀れることになる。
【００３８】
尚、本発明は、本実施例に限られるものではなく、各構成要件の具体的構成は適宜設計し得るものである。
【図面の簡単な説明】
【図１】本実施例を示す斜視図である。
【図２】本実施例に係る要部の分解斜視図である。
【図３】本実施例に係る要部の動作説明図である。
【符号の説明】
１  握柄体
１ａ  貫通孔
２  連設部・嵌入部
３  連設体・嵌入体
４  連設体・嵌入体
５  表示
６  補助嵌入体
６’  嵌入部
【図１】
2005074524.tif 000003
【図２】
2005074524.tif 000004
【図３】
2005074524.tif 000005